(57)【要約】【課題】検査機器を用いて検査を行う医療従事者に患者の情報を提供可能な検査機器管理装置を提供すること。【解決手段】医療用の各検査機器から送信される検査結果を集約して電子カルテ装置へ提供する検査機器管理装置が、記憶部と、電子カルテ装置から患者ＩＤに対応する患者情報を取得して記憶部に格納し、検査機器から患者ＩＤ及び検査結果の組を受信すると、当該受信した患者ＩＤに対応する患者情報を記憶部から特定し、当該特定した患者情報と当該受信した検査結果とを対応付けて表示させる制御部と、を備える。【選択図】図１
2018084862.tif 000002
【特許請求の範囲】
【請求項１】
医療用の各検査機器から送信される検査結果を集約して電子カルテ装置へ提供する検査機器管理装置であって、
記憶部と、
前記電子カルテ装置から患者ＩＤに対応する患者情報を取得して前記記憶部に格納し、前記検査機器から患者ＩＤ及び検査結果の組を受信すると、当該受信した患者ＩＤに対応する患者情報を前記記憶部から特定し、当該特定した患者情報と当該受信した検査結果とを対応付けて表示させる制御部と、
を備える検査機器管理装置。
【請求項２】
前記制御部は、前記受信した患者ＩＤに対応する患者情報を前記記憶部から特定することができない場合、前記電子カルテ装置に対して当該患者ＩＤに対応する患者情報を要求する、
請求項１に記載の検査機器管理装置。
【請求項３】
前記制御部は、少なくとも、前記検査結果が前記電子カルテ装置に取り込まれるまでの間、前記検査結果を前記記憶部に保持させる、
請求項１又は２に記載の検査機器管理装置。
【請求項４】
前記制御部は、前記検査結果が前記電子カルテ装置に取り込まれたか否かの情報を、当該検査結果と共に表示させる、
請求項１から３の何れか１項に記載の検査機器管理装置。
【請求項５】
前記制御部は、前記検査結果が所定の範囲外である場合、その旨を示す情報を、当該検査結果と共に表示させる、
請求項１から４の何れか１項に記載の検査機器管理装置。
【請求項６】
前記制御部は、各検査機器を選択可能なＧＵＩ（Ｇｒａｐｈｉｃａｌ  Ｕｓｅｒ  Ｉｎｔｅｒｆａｃｅ）を生成し、当該ＧＵＩを介して選択された検査機器による検査結果を表示させる、
請求項１から４の何れか１項に記載の検査機器管理装置。
【請求項７】
医療用の各検査機器から送信される検査結果を集約して電子カルテプログラムへ提供する検査機器管理プログラムであって、
コンピュータに、
電子カルテプログラムから患者ＩＤに対応する患者情報を取得して所定の記憶部に格納し、前記検査機器から患者ＩＤ及び検査結果の組を受信すると、当該受信した患者ＩＤに対応する患者情報を前記記憶部から特定し、当該特定した患者情報と当該受信した検査結果とを対応付けて表示する処理、
を実行させるためのプログラム。
【発明の詳細な説明】
【技術分野】
【０００１】
本発明は、医療用の検査機器を管理する検査機器管理装置、及びプログラムに関する。
【背景技術】
【０００２】
近年、患者の検査時間の短縮等のため、医療従事者が所定の検査機器を用いて患者の傍らで検査を行う臨床現場即時検査（ＰＯＣＴ（Ｐｏｉｎｔ  Ｏｆ  Ｃａｒｅ  Ｔｅｓｔｉｎｇ））の導入が進められている。
【０００３】
特許文献１には、医療従事者がバイタルデータ管理端末のコードリーダを用いて患者の装着している患者ＩＤコード（バーコード）を読み取ると、バイタルデータ管理端末が、その読み取った患者ＩＤコードが被測定患者リストに登録されているか否かをサーバに問い合わせ、登録されている場合、当該バイタルデータ管理端末に接続されているバイタルデータ測定器が当該患者を測定し、その測定結果をバイタルデータ管理端末がサーバへ送信することが開示されている。これにより、患者と測定結果とが誤って対応付けられることを防止している。
【先行技術文献】
【特許文献】
【０００４】
【特許文献１】特開２００４−３５１０６３号公報
【発明の概要】
【発明が解決しようとする課題】
【０００５】
しかし、特許文献１では、例えば、院内処方箋に印刷されている患者ＩＤコードをコードリーダを用いて読み取って検査を行うようなケースにおいて、或る患者と他の患者との間で院内処方箋が取り違えられてしまったような場合に、医療従事者がこれを知ることができず、検査結果が誤った患者と対応付けられてしまう可能性がある。このような可能性を低減するためにも、検査機器を用いて検査を行う医療従事者が、患者の氏名等の情報を知っておくことが求められている。
【０００６】
本発明は、検査機器を用いて検査を行う医療従事者に患者の情報を提供可能な検査機器管理装置及びプログラムを提供することを目的とする。
【課題を解決するための手段】
【０００７】
本発明に係る検査機器管理装置は、医療用の各検査機器から送信される検査結果を集約して電子カルテ装置へ提供する検査機器管理装置であって、記憶部と、電子カルテ装置から患者ＩＤに対応する患者情報を取得して記憶部に格納し、検査機器から患者ＩＤ及び検査結果の組を受信すると、当該受信した患者ＩＤに対応する患者情報を記憶部から特定し、当該特定した患者情報と当該受信した検査結果とを対応付けて表示させる制御部と、を備える。
【発明の効果】
【０００８】
本発明によれば、検査機器を用いて検査を行う医療従事者に患者の情報を提供可能な検査機器管理装置及びプログラムを提供することができる。
【図面の簡単な説明】
【０００９】
【図１】一実施形態に係る医療システムの構成例を示す図である。
【図２】一実施形態に係る検査機器管理装置の構成例を示す図である。
【図３】検査の流れの例を示す図である。
【図４】検査機器管理装置が検査結果を表示するＧＵＩ（Ｇｒａｐｈｉｃａｌ  Ｕｓｅｒ  Ｉｎｔｅｒｆａｃｅ）の一例を示す図である。
【発明を実施するための形態】
【００１０】
以下、図面を参照しながら本発明の実施形態を説明する。
【００１１】
図１は、一実施形態に係る医療システム１の構成例を示す図である。
【００１２】
医療システム１は、電子カルテ装置１２と、検査機器管理装置１０と、少なくとも１つの検査機器１４とを備える。
【００１３】
電子カルテ装置１２は、患者のカルテを電子データとして管理する装置である。電子カルテ装置１２は、患者情報４２（図２参照）を管理する。患者情報４２には、例えば、患者の漢字氏名、カナ氏名、性別、年齢、住所、電話番号などが含まれる。
【００１４】
検査機器１４は、患者の検査に用いられる機器である。検査機器１４は、ＰＯＣＴ１−Ａ規格に準拠する。検査機器１４は、例えば、ヘモグロビンＡ１ｃ値、推定平均血糖値、総コレステロール値、トリグリセライド値、Ｎｏｎ−ＨＤＬコレステロール値、高比重リポタンパク値、又は、低比重リポタンパク値などを測定する。
【００１５】
検査機器管理装置１０は、医療用の各検査機器１４から送信される検査結果を集約して電子カルテ装置１２へ提供する装置である。
【００１６】
電子カルテ装置１２と検査機器管理装置１０とは、第１の通信ネットワーク１６を介して情報をやりとりする。第１の通信ネットワーク１６は、例えば、ＬＡＮ（Ｌｏｃａｌ  Ａｒｅａ  Ｎｅｔｗｏｒｋ）である。電子カルテ装置１２に係る機能は、コンピュータ上で動作するアプリケーションプログラムによって実現される。また、検査機器管理装置１０に係る機能も、コンピュータ上で動作するアプリケーションプログラムによって実現される。この場合、電子カルテに係るアプリケーションプログラムと、検査機器管理に係るアプリケーションプログラムとは、ソケット通信によって情報をやりとりしてよい。
【００１７】
検査機器管理装置１０と各検査機器１４とは、第２の通信ネットワーク１８を介して情報をやりとりする。第２の通信ネットワーク１８は、例えば、ＬＡＮである。なお、検査機器管理装置１０と検査機器１４とは、ＬＡＮに代えて、所定の通信ケーブルで直結されてもよい。この場合、検査機器管理装置１０と検査機器１４とは、ＣＯＭ通信によって情報をやりとりしてよい。
【００１８】
検査機器管理装置１０は、当該検査機器管理装置１０及び電子カルテ装置１２がアクセス可能な共有フォルダ１５を有する。検査機器管理装置１０は、検査機器１４から集約した検査結果情報を共有フォルダ１５に出力する。電子カルテ装置１２は、任意のタイミングで、共有フォルダ１５から検査結果情報を取り込む。なお、共有フォルダ１５の場所は、検査機器管理装置１０内に限られず、例えば、電子カルテ装置１２内や所定のサーバ装置内などであってもよい。
【００１９】
図２は、一実施形態に係る検査管理装置の構成例を示す図である。
【００２０】
検査機器管理装置１０は、制御部２０、第１通信部２８、第２通信部３０、入力部２４、表示部２６、及び記憶部２２を備える。これらの構成要素２０、２２、２４、２６、２８及び３０は、双方向通信可能なバス３２で接続されている。
【００２１】
第１通信部２８は、第１の通信ネットワーク１６に接続し、電子カルテ装置１２との間で行われる情報の送受信を制御する。
【００２２】
第２通信部３０は、第２の通信ネットワーク１８に接続し、検査機器１４との間で行われる情報の送受信を制御する。
【００２３】
入力部２４は、キーボード、マウス及び／又はマイク等の入力デバイスである。入力部２４は、医療従事者によって入力された情報を制御部２０へ伝える。
【００２４】
表示部２６は、ディスプレイ等の表示デバイスである。表示部２６は、制御部２０によって生成されたＧＵＩや情報等を表示する。
【００２５】
記憶部２２は、フラッシュメモリ又はＨＤＤ（Ｈａｒｄ  Ｄｉｓｋ  Ｄｒｉｖｅ）等の不揮発性記憶デバイスである。記憶部２２に保持される情報は、検査機器１４から送信される患者ＩＤ及び検査結果、並びに、電子カルテ装置１２から送信される患者情報４２などである。
【００２６】
制御部２０は、ＣＰＵ（Central Processing Unit）及びメモリ等によって構成される演算回路デバイスである。制御部２０は、所定のコンピュータプログラムを実行することにより、例えば以下の各種機能を実現する。
【００２７】
制御部２０は、電子カルテ装置１２から患者ＩＤに対応する患者情報４２を取得して記憶部２２に格納し、検査機器１４から患者ＩＤ及び検査結果の組を受信すると、当該受信した患者ＩＤに対応する患者情報４２を記憶部２２から特定し、当該特定した患者情報４２と当該受信した検査結果とを対応付けて表示部２６に表示する。
【００２８】
また、制御部２０は、受信した患者ＩＤに対応する患者情報４２を記憶部２２から特定することができない場合、電子カルテ装置１２に対して、当該患者ＩＤに対応する患者情報４２を要求する。
【００２９】
これにより、医療従事者が、検査機器１４による検査結果と共に当該検査結果に対応する患者の氏名等の情報を知ることができる。
【００３０】
制御部２０は、少なくとも、検査結果が電子カルテ装置１２に取り込まれるまでの間、検査結果を記憶部２２に保持する。これにより、検査結果の消失を防ぐことができる。
【００３１】
制御部２０は、検査結果が電子カルテ装置１２に取り込まれたか否かの情報を、当該検査結果と共に表示部２６に表示する。これにより、医療従事者は、検査結果が未だ電子カルテ装置１２に取り込まれていない患者を知ることができる。
【００３２】
制御部２０は、検査結果が所定の範囲外である場合、その旨を示す情報を、当該検査結果と共に表示する。所定の範囲は、検査項目ごとに異なる。
【００３３】
また、所定の範囲は、多段階に設定される。例えば、所定の範囲として、健康上問題の無い第１の範囲と、検査機器１４の仕様上問題の無い第２の範囲とが設定される。なお、第１の範囲は、第２の範囲に包含される。
【００３４】
第１の範囲は、患者情報４２の内容（例えば性別、年齢等）に応じて異なる。また、上記の所定の範囲外である旨を示す情報は、第１の範囲よりも高い場合と第１の範囲よりも低い場合とで異なる態様で表示される。例えば、第１の範囲よりも高い場合には、上向き矢印の情報（アイコン）が表示され、第１の範囲よりも低い場合には、下向き矢印の情報（アイコン）が表示される。
【００３５】
第２の範囲は、検査機器１４及び検査項目に応じて異なる。検査結果が第２の範囲外である場合、検査の失敗又は検査機器１４の故障が疑われるので、医療従事者は、再検査又は検査機器１４の確認等を行う。
【００３６】
制御部２０は、各検査機器１４を選択可能なＧＵＩを表示し、当該ＧＵＩを介して選択された検査機器１４による検査結果を表示する。これにより、医療従事者は、患者が検査を受けた検査機器１４を知ることができる。
【００３７】
次に、検査機器管理装置１０を含む医療システム１による検査の流れを説明する。
【００３８】
図３は、検査の流れの例を示す図である。
【００３９】
患者は、電子カルテ装置１２から印刷された院内指示箋９０を受け取る（ＳＴ１０）。院内指示箋９０には、当該患者の患者ＩＤを示す一次元コード（バーコード）又は二次元コード（ＱＲコード（登録商標））が印刷されている。
【００４０】
次に、患者は、院内処方箋９０を持参して、検査機器１４が設置されている処置室へ移動する（ＳＴ１２）。
【００４１】
次に、医療従事者は、検査機器１４のコードリーダを用いて、院内処方箋９０の患者ＩＤを読み取る（ＳＴ１４）。
【００４２】
次に、医療従事者は、検査機器１４を用いて、ＳＴ１４で読み取った患者ＩＤの患者を検査する（ＳＴ１６）。検査機器１４は、検査結果情報４０を生成する。検査結果情報４０は、患者ＩＤ、検査日時、及び、検査結果を含む。
【００４３】
次に、検査機器１４は、その生成した検査結果情報４０を、検査機器管理装置１０へ送信する（ＳＴ１８）。
【００４４】
検査機器管理装置１０は、ＳＴ１８で送信された検査結果情報４０を、記憶部２２に格納する（ＳＴ２０）。
【００４５】
次に、検査機器管理装置１０は、ＳＴ１８の検査結果情報４０の患者ＩＤに対応する患者情報４２が、記憶部２２に存在するか否かを判定する（ＳＴ２２）
【００４６】
当該患者ＩＤに対応する患者情報４２が記憶部２２に存在する場合（ＳＴ２２：ＹＥＳ）、検査機器管理装置１０は、ＳＴ３０の処理を実行する。
【００４７】
当該患者ＩＤに対応する患者情報４２が記憶部２２に存在しない場合（ＳＴ２２：ＮＯ）、検査機器管理装置１０は、当該患者ＩＤに対応する患者情報４２の要求を、電子カルテ装置１２へ送信する（ＳＴ２４）。
【００４８】
電子カルテ装置１２は、ＳＴ２４の要求を受信すると、当該要求の患者ＩＤに対応する患者情報４２を含む応答を、検査機器管理装置１０へ返信する（ＳＴ２６）。
【００４９】
検査機器管理装置１０は、ＳＴ２６の応答を受信すると、当該応答の患者情報４２を記憶部２２に格納すると共に、当該患者情報４２をＳＴ２０の検査結果情報４０に関連付ける（ＳＴ２８）。そして、検査機器管理装置１０は、ＳＴ３０の処理を実行する。
【００５０】
検査機器管理装置１０は、後述の図４のように、記憶部２２に格納されている検査結果情報４０の内容と、当該検査結果情報４０と関連付けられている患者情報４２と、を表示部２６に表示する（ＳＴ３０）。これにより、医療従事者が、検査結果情報４０に対応する患者の氏名等の情報を確認することができるので、検査結果と患者とが誤って対応付けられたまま電子カルテ装置１２に登録されてしまうことを未然に防ぐことができる。
【００５１】
検査機器管理装置１０は、自動出力期間として設定されている期間ごとに、記憶部２２に格納されている未出力の検査結果情報４０を、共有フォルダ１５に出力する（ＳＴ３２）。検査機器管理装置１０は、記憶部２２内の、共有フォルダ１５に出力した検査結果情報４０のステータスを、「未出力」から「出力済み」に変更する。
【００５２】
電子カルテ装置１２は、任意のタイミング又は所定期間ごとに、共有フォルダ１５から検査結果情報４０を取り込む（ＳＴ３４）。電子カルテ装置１２は、取り込んだ検査結果情報４０を、共有フォルダ１５から削除する。
【００５３】
上述のとおり、検査機器管理装置１０は、各検査機器１４から送信される各患者の検査結果情報４０をいったん集約し、その集約した検査結果情報４０を、所定期間ごとに共有フォルダ１５に出力する。これにより、電子カルテ装置１２は、検査機器管理装置１０に集約された複数の検査結果情報４０を、任意のタイミングで取り込むことができる。よって、電子カルテ装置１２の処理負荷を軽減することができる。
【００５４】
図４は、検査機器管理装置１０が検査結果を表示するＧＵＩの一例を示す。当該ＧＵＩは、図３のＳＴ３０における表示の一例である。
【００５５】
制御部２０は、患者情報４２及び検査結果情報４０を表示するＧＵＩ（検査結果ＧＵＩ）１００を生成し、表示部２６に表示する。
【００５６】
検査結果ＧＵＩ１００は、検査機器名称表示領域１０２、検査機器選択領域１０４、結果表示領域１０５、接続ステータス表示領域１１０、自動出力設定領域１１２、及び、手動出力ボタン１１４を含む。
【００５７】
検査機器選択領域１０４には、１又は複数の検査機器１４を選択するためのボタンが配列されている。検査機器選択領域１０４には、全ての検査機器１４を選択するボタンが配置されてもよい。
【００５８】
検査機器名称表示領域１０２には、検査機器選択領域１０４で選択された検査機器１４の名称が表示される。
【００５９】
結果表示領域１０５の各行には、患者情報１０６と、当該患者情報１０６に対応する各検査項目の検査結果１０８Ａ、１０８Ｂとが表示される。
【００６０】
図４において、患者情報１０６として、患者ＩＤ、患者の漢字氏名、及び、患者のカナ氏名が表示されている。そして、患者情報１０６と同じ行に、当該患者情報１０６が示す患者のＨｂＡ１Ｃの検査結果１０８Ａと、コレステロールの検査結果１０８Ｂとが表示されている。医療従事者は、この結果表示領域１０５を見ることにより、検査結果に対応する患者の氏名等を確認することができる。
【００６１】
また、検査結果と合わせて、当該検査が行われた日時２０６が表示される。
【００６２】
また、検査結果が所定の範囲外である場合、当該検査結果と合わせて、その旨を示す情報２０４が表示される。当該情報を、「注意喚起情報」という。注意喚起情報２０４は、文字、記号又は図形等のアイコンとして表示される。
【００６３】
所定の範囲として、上述のように、健康上問題の無い第１の範囲と、検査機器１４の仕様上問題の無い第２の範囲とが設定されている場合、第１の範囲外の場合と第２の範囲外の場合とで異なる注意喚起情報２０４が表示される。
【００６４】
第２の範囲外を示す注意喚起情報２０４が表示されている場合、医療従事者は、検査の失敗又は検査機器１４の故障を疑うことができる。
【００６５】
第１の範囲外を示す注意喚起情報２０４が表示されている場合、医療従事者は、その旨を患者に伝えたり、念のために再検査を行ったりすることができる。
【００６６】
また、検査結果と合わせて、当該検査結果が、共有フォルダ１５に出力済みであるか否かを示す情報２０２が表示される。当該情報を、「出力ステータス情報」という。出力ステータス情報２０２は、文字、記号又は図形等のアイコンとして表示される。医療従事者は、出力ステータス情報２０２を確認することにより、その検査結果が、共有フォルダ１５に出力済みであるか否かを知ることができる。
【００６７】
接続ステータス表示領域１１０には、検査機器管理装置１０が、検査機器１４と正常に接続されているか、及び／又は、検査機器１４からの検査結果情報４０を受信中であるか、などの情報が表示される。当該情報を、「接続ステータス情報」という。医療従事者は、接続ステータス情報を確認することにより、検査機器管理装置１０と検査機器１４とが正常に通信を行っているか否かなどを知ることができる。
【００６８】
自動出力設定領域１１２には、検査結果情報４０を共有フォルダ１５に出力する周期を設定するためのＧＵＩが設けられている。制御部２０は、当該自動出力設定領域１１２に設定された周期で、検査結果情報４０を共有フォルダ１５に出力する。
【００６９】
手動出力ボタン１１４は、検査結果情報４０を共有フォルダ１５に出力させるためのボタンである。医療従事者が、結果表示領域１０５に表示されている中から未出力の検査結果を選択し、当該手動出力ボタン１１４を押下すると、制御部２０は、その選択された検査結果情報を共有フォルダ１５に出力する。
【００７０】
＜効果＞
上述した実施形態によれば、検査機器管理装置１０は、検査機器１４を用いて検査を行う医療従事者に、検査結果と共に当該検査を行った患者の氏名等の情報を提供することができる。これにより、例えば、院内処方箋に印刷されている患者ＩＤコードをコードリーダを用いて読み取って検査を行うようなケースにおいて、或る患者と他の患者との間で院内処方箋が取り違えられてしまったような場合であっても、医療従事者が、検査機器管理装置１０の検査結果ＧＵＩ１００を見て患者の氏名等を確認することができるので、検査結果と患者とが誤って対応付けられたまま電子カルテ装置１２に登録されてしまうことを未然に防ぐことができる。
【００７１】
＜注記＞
以上、本発明に係る実施形態について図面を参照して詳述してきたが、上述した各装置の機能は、コンピュータプログラムにより実現され得る。
【００７２】
上述した各装置の機能をプログラムにより実現するコンピュータは、キーボードやマウス、タッチパッドなどの入力装置、ディスプレイやスピーカーなどの出力装置、ＣＰＵ（Central Processing Unit）、ＲＯＭ（Read Only Memory）、ＲＡＭ（Random Access Memory）、ハードディスク装置やＳＳＤ（Solid State Drive）などの記憶装置、ＤＶＤ−ＲＯＭ（Digital Versatile Disk Read Only Memory）やＵＳＢ（Universal Serial Bus）メモリなどの記録媒体から情報を読み取る読取装置、ネットワークを介して通信を行うネットワークカードなどを備え、各部はバスにより接続される。
【００７３】
そして、読取装置は、上記各装置の機能を実現するためのプログラムを記録した記録媒体からそのプログラムを読み取り、記憶装置に記憶させる。あるいは、ネットワークカードが、ネットワークに接続されたサーバ装置と通信を行い、サーバ装置からダウンロードした上記各装置の機能を実現するためのプログラムを記憶装置に記憶させる。
【００７４】
そして、ＣＰＵが、記憶装置に記憶されたプログラムをＲＡＭにコピーし、そのプログラムに含まれる命令をＲＡＭから順次読み出して実行することにより、上記各装置の機能が実現される。
【００７５】
上述した本発明に係る実施形態は、本発明の説明のための例示であり、本発明の範囲を実施形態にのみ限定する趣旨ではない。当業者は、本発明の要旨を逸脱することなしに、他の様々な態様で本発明を実施することができる。
【産業上の利用可能性】
【００７６】
本発明に係る検査機器管理装置は、医療用の検査機器を含むシステムに用いるのに好適である。
【符号の説明】
【００７７】
１  医療システム
１０  検査機器管理装置
１２  電子カルテ装置
１４  検査機器
１６  第１の通信ネットワーク
１８  第２の通信ネットワーク
２０  制御部
２２  記憶部
２４  入力部
２６  表示部
２８  第１通信部
３０  第２通信部
４０  検査結果情報
４２  患者情報
【図１】
2018084862.tif 000003
【図２】
2018084862.tif 000004
【図３】
2018084862.tif 000005
【図４】
2018084862.tif 000006